(57)【特許請求の範囲】
【請求項１】
壁面に絵を描画する際に用いるカッティングシート作成方法において、
コンピュータに、
描画対象の画像を表す第１の画像データに対し、壁面に描画しようとする絵の面積が大きくなる程網点の最大半径の大きさが大きく決定され、かつ、前記第１の画像の色の濃い部分は網点が大きく、前記第１の画像の色の薄い部分は網点が小さくなるように決定された網点加工を施して第２の画像データを作成し、前記第２の画像データをベクトル形式の第３の画像データに変換し、壁面の大きさに応じて前記第３の画像データにより表される画像を拡大させることにより、カッティングプロッターによって処理可能な第４の画像データを作成する処理を実行させる、
ことを特徴とするカッティングシート作成方法。
【請求項２】
作成された前記第４の画像データをカッティングプロッターで処理して網点の外周がカットされたカッティングシートを作成する請求項１に記載のカッティングシート作成方法。
【請求項３】
壁面に絵を描画する描画方法において、
コンピュータに、
描画対象の画像を表す第１の画像データに対し、壁面に描画しようとする絵の面積が大きくなる程網点の最大半径の大きさが大きく決定され、かつ、前記第１の画像の色の濃い部分は網点が大きく、前記第１の画像の色の薄い部分は網点が小さくなるように決定された網点加工を施して第２の画像データを作成し、前記第２の画像データをベクトル形式の第３の画像データに変換し、壁面の大きさに応じて前記第３の画像データにより表される画像を拡大させた第４の画像データを作成する処理を実行させ、作成された前記第４の画像データをカッティングプロッターで処理して網点の外周がカットされたカッティングシートを作成し、
作成された前記カッティングシートを用いて前記描画対象の画像に対応する画像を壁面に描画する、
ことを特徴とする描画方法。
【発明の詳細な説明】
【技術分野】
【０００１】
本発明はカッティングシート作成方法および描画方法に関する。
【背景技術】
【０００２】
外壁の保護と耐久性を高める等の目的で、建築物の外壁に塗装することが知られている。例えば、建築板の塗装において、インクジェットにおける塗料の吐出圧を変化させて基材の表面に付着する塗料の大きさを変化させ、１枚の基材に対して濃淡のある塗装を行うことが知られている。また、パターンシートを建築物の壁面にセットし、シートのパターンを形成する孔を介して塗料を吹き付けて描画したのち、シートを撤去する方法が知られている。
【先行技術文献】
【特許文献】
【０００３】
【特許文献１】特開２００３−３３４９４３号公報
【特許文献２】特開平７−２８４７２１号公報
【発明の概要】
【発明が解決しようとする課題】
【０００４】
外壁の仕上げをする色は、屋根の色やサッシの色との関係で決める場合が多い。このときイラストや写真を外壁に塗装することにより、オリジナルな塗装仕上げとなる。
例えば、イラストや写真をインクジェット式プロッターにより塩化ビニルフィルムに印刷をしてそのフィルムを外壁に貼り付ける場合を考える。
【０００５】
この場合、貼り付けたフィルムが剥がれてしまう場合がある。また、フィルムに印刷をした場合、壁に直接塗装をする場合に比べ耐久性が低いという問題がある。
また、壁に大きな絵を直接描こうとする場合、壁に下書きをすることが考えられる。この場合、下書きにかける工数が増大するという問題がある。
１つの側面では、本発明は、壁面に直接描画するためのカッティングシートを作成することを目的とする。
【課題を解決するための手段】
【０００６】
上記目的を達成するために、開示のカッティングシート作成方法が提供される。このシート作成方法は、コンピュータに、描画対象の画像を表す第１の画像データに対し網点加工を施して第２の画像データを作成し、第２の画像データをベクトル形式の第３の画像データに変換し、壁面の大きさに応じて第３の画像データにより表される画像を拡大させることにより、カッティングプロッターによって処理可能な第４の画像データを作成する処理を実行させる。
【発明の効果】
【０００７】
１態様では、壁面に直接描画するためのカッティングシートを作成することができる。
【図面の簡単な説明】
【０００８】
【図１】実施の形態のコンピュータのハードウェア構成を示す図である。
【図２】実施の形態のコンピュータの機能を示すブロック図である。
【図３】建築物の外壁に塗装する絵の元図を示す図である。
【図４】元図の画像処理を説明する図である。
【図５】元図の画像処理を説明する図である。
【図６】元図の画像処理を説明する図である。
【図７】元図の画像処理を説明する図である。
【図８】元図の画像処理を説明する図である。
【図９】元図の画像処理を説明する図である。
【図１０】元図の画像処理を説明する図である。
【図１１】カット対象部位がカットされたカッティンングシートを示す図である。
【図１２】塗装工程を説明する図である。
【図１３】塗装工程を説明する図である。
【図１４】塗装工程を説明する図である。
【図１５】塗装工程を説明する図である。
【図１６】塗装工程を説明する図である。
【図１７】塗装工程を説明する図である。
【発明を実施するための形態】
【０００９】
以下、実施の形態の描画装置および描画方法を、図面を参照して詳細に説明する。
＜実施の形態＞
図１は、実施の形態のコンピュータのハードウェア構成を示す図である。
【００１０】
コンピュータ１０は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００１１】
ＲＡＭ１０２は、コンピュータ１０の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００１２】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００１３】
ハードディスクドライブ１０３は、内蔵したディスクに対して、磁気的にデータの書き込みおよび読み出しを行う。ハードディスクドライブ１０３は、コンピュータ１０の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００１４】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００１５】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００１６】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００１７】
通信インタフェース１０７は、ネットワーク５０に接続されている。通信インタフェース１０７は、ネットワーク５０を介して、他のコンピュータまたは通信機器との間でデータを送受信する。
以上のようなハードウェア構成によって、本実施の形態の処理機能を実現することができる。
図１に示すようなハードウェア構成のコンピュータ１０内には、以下のような機能が設けられる。
図２は、実施の形態のコンピュータの機能を示すブロック図である。
コンピュータ１０は、プログラム記憶部１１とアプリケーション実行部１２と、データ記憶部１３とを有している。
【００１８】
プログラム記憶部１１には、各種画像処理プログラムが記憶されている。アプリケーション実行部１２は、ユーザの操作に応じてプログラム記憶部１１に記憶されている画像処理プログラムを呼び出し実行する。データ記憶部１３には、描画しようとする絵の元図（描画対象の画像）のデータが記憶されている。また、データ記憶部１３は、アプリケーション実行部１２のプログラムの実行に伴い生成されたデータを記憶する。
次に、実施の形態の描画方法を説明する。
【００１９】
本実施の形態では一例として、建築物の外壁に山を塗装する場合を説明する。なお、建築物の外壁に塗装する絵の種類としては特に限定されない。また、塗装対象の建築物としては特に限定されないが、例えば塀や橋梁、防波堤等が挙げられる。
【００２０】
図３は、建築物の外壁に塗装する絵の元図を示す図である。
ユーザの操作に応じてアプリケーション実行部１２は、プログラム記憶部１１に記憶されている画像処理プログラムを呼び出す。そして、アプリケーション実行部１２は、建築物の外壁に塗装する絵の元図３０のデータ（第１の画像データ）をデータ記憶部１３から読み出し、モニタ１０４ａに表示する。なお、画像処理プログラムを実装するソフトウェアとしては、例えばＡｄｏｂｅ  Ｐｈｏｔｏｓｈｏｐ（登録商標）等が挙げられる。
【００２１】
図４〜図１０は、元図の画像処理を説明する図である。
図４に示すように絵の元図３０のピクセル（pixel）数は、幅１０２４ピクセル、高さ７６８ピクセル、解像度は７２ピクセル／インチ（inch）であるものとする。
本実施の形態では、ユーザが元図３０より大きい絵を外壁に描きたいものとする。
【００２２】
このとき、ユーザは、コンピュータ１０を操作し、元図３０の解像度を大きくする。解像度は、外壁に塗装する絵のサイズに基づき決定する。図４に示す例では、アプリケーション実行部１２は、ユーザの操作に応じて元図３０の解像度を３００ピクセル／インチにする。これにより、元図３０のサイズはほぼそのままでピクセル数を増やすことができる。
【００２３】
また、外壁の形状に応じて、元図３０をトリミングするのが好ましい。例えば、元図３０に占める山の背景部分の割合が大きすぎる（希望する大きさに元図３０を拡大して外壁に塗装するときに、元図の背景部分が建築物の外壁からはみ出してしまう）と判断した場合は、元図３０の背景の上部分をトリミングして、元図３０の長手方向の長さをより長く（ワイドに）する。次に、元図３０がカラーの画像である場合は、アプリケーション実行部１２は、ユーザの操作に応じて元図３０のカラーを白黒に変換する。次に、ユーザが、濃淡が足りないと判断した場合はアプリケーション実行部１２は、ユーザの操作に応じて色調補正を施す。
図５には、元図３０に対してここまでの画像処理が施された画像３１が図示されている。
【００２４】
次に、アプリケーション実行部１２は、ユーザの操作により、図６に示すように、画像３１を網点化する。例えば、アプリケーション実行部１２は、網点の最大半径を３５ピクセルに決定する。この最大半径の大きさは、例えば、絵を外壁に描画したときに観察者と外壁との距離や、外壁の面積に応じて決定することができる。観察者が外壁を観察する際に、外壁との距離が離れていることが多いと予測される場合（例えば、ビルの屋上に壁を設け、その壁に描画する場合等）や、外壁の面積が大きい場合は、最大半径をより大きくすることができる。他方、観察者が外壁を観察する際に、外壁との距離が接近していることが多いと予測される場合や、外壁の面積が小さい場合は、最大半径をより小さくすることができる。図６は、網点化された画像３２を示す図である。画像３２のデータが第２の画像データの一例である。画像３２では、画像３１の色が薄い（白に近い）部分については比較的小さい網点が表示されており、画像３１の色が濃い（黒に近い）部分については比較的大きい網点が表示されている。そして、最も濃い色の部分の網点の大きさは３５ピクセルになっている。アプリケーション実行部１２は、ユーザの操作に応じて、この画像３２のデータをデータ記憶部１３に記憶する。
【００２５】
次に、アプリケーション実行部１２は、網点化された画像３２をベクトル形式のデータ（ベクトルデータ）に変換する。ベクトルデータに変換する画像処理プログラムを実装するソフトウェアとしては、例えばＡｄｏｂｅ  Ｉｌｌｕｓｔｒａｔｏｒ（登録商標）等が挙げられる。具体的には、アプリケーション実行部１２は、データ記憶部１３に記憶されている画像３２のデータを読み出す。そして、アプリケーション実行部１２は、画像３２の輪郭を抽出することで画像３２のデータをアウトライン化する。例えば、ユーザはアウトライン化されたベクトルデータの画像のプレビューを見てこのデータの作成を希望する場合には、決定ボタン（図示せず）を押下する。これにより、画像３２が、品質の劣化なくサイズを変更可能なベクトルデータに変換される。
【００２６】
図７は、アウトライン化された画像３３を示す図である。画像３３のデータが第３の画像データの一例である。この画像３３のデータがカッティングデータ（カッティングプロッターによりカッティングシートをカットする部位が示されたデータ）となる。なお、カッティングシートは外壁に一時的に貼付けられるシートである。カッティングシートは、台紙と糊が付着したシートの２重構造をなしている。カッティングプロッターによりカットされる部分は、シートであり、台紙はカットせずに残す。
【００２７】
カッティングシートとしては、例えば、塩化ビニル製の再剥離用のカッティングシートが挙げられる。このカッティングシートを用いることにより、カッティングシートを外壁から剥離した際に、外壁に糊が残ることを抑制することができる。
【００２８】
図７に示す画像３３は、網点に対応する部位（例えば部位３３ａ、３３ｂ、３３ｃ、以下、網点対応部位と言う）の外周が、カッティングプロッターによりカットされる部位（以下、カット対象部位と言う）を示している。カット対象部位をカットし、網点対応部位以外の部位をカッティングシートから取り除くと、網点対応部位はマスクとして残る。このため、網点対応部位以外の部位が塗装される部位になる。例えば、画像３３において、網点対応部位のうち円に近い形状をなす網点対応部位が密集している箇所は、マスクとして残る部分が多い部分である。このため、着色されない部分が多く残るため、完成時には壁の色が多く残る部分である。これに対し、円が潰れている網点対応部位が密集している箇所は、マスクとして残る部分が少ない部分である。このため、着色される部分が多く残るため、完成時には塗料の占める面積が多くなる部分である。この壁の色が多く残る部分と塗料の占める面積が多くなる部分のコントラストが陰影になる。
【００２９】
次に、ユーザは、画像３３の大きさを参照する。そして、アプリケーション実行部１２は、ユーザの操作に応じ、カッティングシートの大きさに合わせて画像３３を拡大（または縮小）する。
【００３０】
図８に示すように、画像３３の大きさは幅が２８９．１４ｍｍ、高さが２１６．９１ｍｍである。アプリケーション実行部１２は、ユーザの操作に応じてこれを、図８に示すように、外壁に貼り付ける大きさである幅４３３７．０９ｍｍ、高さ３２５３．７１ｍｍに拡大する。以下、拡大した画像を画像３４という。画像３４のデータは第４の画像データの一例である。
【００３１】
次に、画像３４のサイズ（幅または高さ）が、カットしようとするカッティングプロッターでカットできるサイズを超えている場合は、画像３４を分割する。図９は、画像の分割を説明する図である。図９で示す例では、画像３４が画像３４ａ、３４ｂ、３４ｃ、３４ｄに分割されている。各画像３４ａ、３４ｂ、３４ｃ、３４ｄそれぞれの大きさはカッティングプロッターでカットできるカッティングシートのサイズになっている。
ユーザは、カッティングプロッターにカッティングシートをセットする。
【００３２】
図１１は、カット対象部位がカットされたカッティンングシートを示す図である。図１１は、カッティングシート４１の画像３４ｃのカット対象部位がカットされている様子を示している。
カッティングプロッター４０により、画像３４のカット対象部位に対応するフィルム部分がカットされる。前述したように、台紙はカットしない。
次に、カッティングプロッター４０でカット対象部位がカットされたカッティングシート４１を外壁に貼り付け塗装する工程を説明する。
【００３３】
図１２〜図１７は、塗装工程を説明する図である。以下、建築物の外壁が白壁の場合を例に説明する。
外壁に塗装する際には、外壁にプライマーを塗って下地処理を施す。これにより、塗料がはがれにくくなる。その後、カッティングシート４１の台紙を剥がす。そして、図１２に示すように、台紙を剥がしたカッティングシート４１を、画像の向きを考慮して外壁６０に順番に貼り付ける。この際、外壁６０とカッティングシート４１との間に塗料が染みこまないようにカッティングシート４１を抑えて貼り付けるのが好ましい。図１３は、外壁６０にカッティングシート４１の貼り付けが完了した状態を示す図である。
【００３４】
その後、図１４に示すように、カッティングシート４１のカッティングプロッター４０によりカットされた網点対象部位以外の部分を抜き取る。これにより、マスク用のフィルム部分が残る。
【００３５】
前述したように、網点対応部位のうち円に近い形状をなす網点対応部位が密集している箇所（例えば部位４２）は、マスクとして残る部分が多い部分である。このため、着色されない部分が多く残るため、完成時には壁の色が多く残る部分である。これに対し、円が潰れている網点対応部位が密集している箇所（例えば部位４３）は、マスクとして残る部分が少ない部分である。このため、着色される部分が多く残るため、完成時には塗料の占める面積が多くなる部分である。
【００３６】
次に、図１５に示すように、建築塗装用のローラー７１等を用いて予め用意した塗料をカッティングシート４１の表面に均一に塗装する。塗装は１回でも良いが、一度乾いた後に再度塗るのが好ましい。これにより耐久性が向上する。
【００３７】
次に、塗料が乾いた状態でカッティングシート４１を全て取り除く。図１６は、一部のカッティングシート４１を取り除いた状態を示す図である。左側１／４程が取り除かれており、絵の一部が露出している。これにより、外壁６０に濃淡のある絵が現れる。残りの３／４は一面に塗料が付着した状態である。図１７は、全てのカッティングシート４１を取り除いた様子を示す図である。
【００３８】
以上述べたように、実施の形態の描画方法によれば、網点の大きさにより色の濃い薄いを表現するため、特に遠方から見たときに立体感があり迫力のある描写となる。また、文字も塗装でき看板としても使用することができる。また、塗装時にカラーでの塗装も可能である。
【００３９】
また、外壁に直接塗装することができるため、塗装する壁面の大きさには特に制限がない。また、職人が外壁に直接絵を描く場合、職人の絵のスキルに左右される。また、外壁に下書きをすれば、その分、絵を描くための工程が増大する。実施の形態の描画方法によれば、写真に基づき作成されたカッティングシートを用いるようにした。これにより、職人の絵のスキルにかかわらず、均一の品質の描画を行うことができる。また、外壁への下書きは不要であり、その分工数が減る。
また、塩化ビニルフィルムをマスキングに用いるようにした。これにより、カッティングシートが剥がしやすい。
【００４０】
また、直接外壁に塗装することにより、例えばイラストや写真をインクジェット式プロッターにより塩化ビニルフィルムに印刷をしたものを外壁に貼り付けたものに比べ、塗料の種類により退色を抑制することができる。また、耐候性が高く、材料のコスト面でも格段に安い費用で施工することができる。すなわち、塩化ビニルフィルムに印刷をしたものを外壁に貼り付けた場合、紫外線により褪色やフイルムの劣化、水の浸入による剥がれが起こることを考慮すると、防水処理やＵＶ（UltraViolet）加工が必要となる。実施の形態の描画方法によれば、塗料の種類により、そのような加工を不要とすることができる。
さらに、実施の形態の描画方法によれば、躯体面の形状により塩化ビニルフィルムの貼り付けが難しい場合にも対応することができる。
【００４１】
なお、コンピュータ１０が行った処理が、複数の装置によって分散処理されるようにしてもよい。例えば、１つの装置が、画像３２のデータを生成しておき、他の装置が、そのデータを用いてベクトルデータを生成するようにしてもよい。
【００４２】
以上、本発明のカッティングシート作成方法および描画方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００４３】
なお、上記の処理機能は、コンピュータによって実現することができる。その場合、コンピュータ１０が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００４４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００４５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００４６】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００４７】
１０  コンピュータ
１１  プログラム記憶部
１２  アプリケーション実行部
１３  データ記憶部
３０  元図
３１、３２、３３、３４、３４ａ、３４ｂ、３４ｃ、３４ｄ  画像
３３ａ、３３ｂ、３３ｃ、４２、４３  部位
４０  カッティングプロッター
４１  カッティングシート
６０  外壁
７１  ローラー
【要約】
【課題】壁面に直接描画するためのカッティングシートを作成すること。
【解決手段】コンピュータに、描画対象の画像を表す第１の画像データに対し網点加工を施して第２の画像データを作成し、第２の画像データをベクトル形式の第３の画像データに変換し、壁面の大きさに応じて第３の画像データにより表される画像を拡大させることにより、カッティングプロッターによって処理可能な第４の画像データを作成する処理を実行させる。
【選択図】図１０【図１】
0005512024.tif 000002
【図２】
0005512024.tif 000003
【図３】
0005512024.tif 000004
【図４】
0005512024.tif 000005
【図５】
0005512024.tif 000006
【図６】
0005512024.tif 000007
【図７】
0005512024.tif 000008
【図８】
0005512024.tif 000009
【図９】
0005512024.tif 000010
【図１０】
0005512024.tif 000011
【図１１】
0005512024.tif 000012
【図１２】
0005512024.tif 000013
【図１３】
0005512024.tif 000014
【図１４】
0005512024.tif 000015
【図１５】
0005512024.tif 000016
【図１６】
0005512024.tif 000017
【図１７】
0005512024.tif 000018